(57)【要約】【課題】ガラスブロックパネルの取付けに際し、ボルト締め、パネルフレームおよびパネルを枠の内側に嵌めた後の目地幅調整を不要とし、また枠とパネルとの間の目地幅を狭くし、施工を容易にする。【解決手段】ガラスブロック１０が上下左右の各側面外周に沿ってそれぞれ額縁状の立上がり部１１ｄを備えており、建物の壁の開口部に設けた枠２０がガラスブロック１０からなるパネルの押込み方向前面外周と接してパネルの押込み位置を規制するストッパ２０ｂと、枠２０内面からパネルの押込み方向に対して前上がりに傾斜する板バネ製フック３０とをそれぞれ備え、枠２０にパネルを押込んだ際にパネルの外周に位置する押込み方向前側立上がり部の後側段部１１ｅにフック３０の先端が係合するようにした。【選択図】      図３
2004278121.tif 000002
【特許請求の範囲】
【請求項１】
建物の壁の開口部に固定された枠に壁の厚さ方向片側からガラスブロックの単体または複数個の結合体からなるガラスブロックパネルを嵌め込んで固定したガラスブロックの取付け構造において、上記のガラスブロックが上下左右の各側面外周に沿ってそれぞれ額縁状の立上がり部を備えており、上記の枠に上記パネルの押込み方向前面外周と接して上記パネルの押込み位置を規制するストッパと、上記枠の内面から上記パネルの押込み方向に対して前上がりに傾斜する板バネ製フックとがそれぞれ設けられ、枠に上記パネルを押込んだ際に該パネルの外周に位置する押込み方向前側立上がり部の後側段部と上記フックの先端が係合して上記パネルの逆戻りが制止されるようにしたことを特徴とするガラスブロックパネルの取付け構造。
【請求項２】
板バネ製フックが枠の少なくとも左右側部に設けられた請求項１記載のガラスブロックパネルの取付け構造。
【請求項３】
枠の備えるストッパがガラスブロックパネルの押込み方向前面外周と全域でシール材を介して接するものである請求項１または２に記載のガラスブロックパネルの取付け構造。
【請求項４】
枠の内面に板バネ製フックと並んで板バネ製プレッサが並設され、枠の内面から上記フックの先端よりも前方へ前上がりに延びてガラスブロックパネル外周の押込み方向前側立上がり部の表面を押圧する請求項１ないし３のいずれかに記載のガラスブロックパネルの取付け構造。
【発明の詳細な説明】
【０００１】
【発明の属する技術分野】
この発明は、建物の壁、特に外壁に形成された開口部にガラスブロックの単体または複数個の結合体からなるガラスブロックパネルを固定するための取付け構造に関し、上記ガラスブロックパネルの取付け作業を容易にし、作業時間の短縮を可能にするものである。
【０００２】
【従来の技術】
建物の壁、特に外壁に形成された方形の開口部を塞ぐための採光用固定障子として、ガラスブロックの単体または複数個の結合体からなる方形のガラスブロックパネルが知られている。上記のガラスブロックは、ガラスからなる方形の箱体２個を側板の開口端で突合わせ接合して作られている。図１において、１０は上記のガラスブロック、１１はガラス製の箱体、１１ａは正方形の底板、１１ｂは四方（図１の左右および紙面の前後）を囲む側板であり、１１ｃは開口端の接合線を示す。なお、上記側板１１ｂの外面には、開口端１１ｃを除く三方の縁に立上がり部１１ｄが額縁状に形成され、この立上がり部１１ｄの内側には段部１１ｅを介して凹部１１ｆが形成され、開口端１１ｃに向かって厚みが薄くなるように傾斜している。
【０００３】
したがって、ガラスブロック１０は、上下の底面を除く四方の側面外周に額縁状の立上がり部１１ｄを備え、その内側に凹部１１ｆが形成された形状となる。そして、上記のガラスブロック１０は、例えば図２に示すように、その１２個が上記側板１１ｂの立上がり部１１ｄで互いに目地（図示されていない）を挟んで接するように４列３行に配列され、互いに接合されて１枚のパネル（ガラスブロックパネル）に形成され、これが建物の外壁１２の開口部に固定した長方形のアルミ枠１３の内側に嵌め込んで固定される。すなわち、上記ガラスブロック１０を形成する箱体１１の底板１１ａがパネルの前板または後板を構成し、側板１１ｂがパネルの縦横の桟を構成する。
【０００４】
上記ガラスブロックパネルの取付け構造として、該パネルの外周に断面Ｌ字形のパネルフレームを固着し、これを外壁開口部のアルミ枠に固定金具を介してネジ止めしたものが特開２００２−３６４１１７号公報その他によって知られている。図１にその概要が示されており、１４は接合剤であり、上記側板１１ｂにおける立上がり部１１ｄの内側の凹部１１ｆに充填され、接合剤１４を介して上記の隣接するガラスブロック１０が互いに接合され、かつ１２個のガラスブロック１０からなるガラスブロックパネルの外周に断面Ｌ字形の型材からなる方形のパネルフレーム１５が固着される。
【０００５】
一方、外壁の開口部に固定されたアルミ枠１６に断面Ｌ字形の固定金具１７がボルト１８で固定される。そして、上記のガラスブロック１０が戸外側（図１の上方）からアルミ枠１６に押し込まれ、固定金具１７のフランジ１７ａにパネルフレーム１５のフランジ１５ａが押し当てられ、両フランジ１５ａ、１７ａがボルト１８で結合される。なお、１９ａはバックアップ材、１９ｂはシーリング材である。
【０００６】
しかしながら、上記従来の取付け構造は、ガラスブロックパネルとアルミ枠１６との間の狭い目地部分の奥でボルト１８を締結するものであるため、作業性が悪く、かつ上記目地の幅をボルト１８の頭よりも広くする必要があり、またアルミ枠１６の内側にガラスブロックパネルを納めた後に四方の目地幅を均一に揃えるための調整を必要とし、またガラスブロックパネルの四周を囲むパネルフレーム１５の取付けを必要とし、更にガラスブロック１０のサイズおよび使用個数によって大きさの異なるパネルフレーム１５を多種類用意する必要がある等の問題があった。
【０００７】
【発明が解決しようとする課題】
この発明は、アルミ枠その他の枠にガラスブロックパネルを取付けるに際し、従来必要としたボルト締めを不要とし、枠と上記パネルとの間の目地幅を狭くすることができ、またパネルを枠の内側に嵌めた後の目地幅調整を必要とせず、またパネルフレームを必要とせず、施工を容易にするものである。
【０００８】
【課題を解決するための手段】
この発明に係るガラスブロックパネルの取付け構造は、建物の壁の開口部に固定された枠に壁の厚さ方向片側からガラスブロックの単体または複数個の結合体からなるガラスブロックパネルを嵌め込んで固定したガラスブロックの取付け構造において、上記のガラスブロックが上下左右の各側面外周に沿ってそれぞれ額縁状の立上がり部を備えており、上記の枠に上記パネルの押込み方向前面外周と接して上記パネルの押込み位置を規制するストッパと、上記枠の内面から上記パネルの押込み方向に対して前上がりに傾斜する板バネ製フックとがそれぞれ設けられ、枠に上記パネルを押込んだ際に該パネルの外周に位置する押込み方向前側立上がり部の後側段部と上記フックの先端が係合して上記パネルの逆戻りが制止されるようにしたことを特徴とする。
【０００９】
上記ガラスブロックパネルの取付け構造において、枠に片側からガラスブロックパネルを押し込むと、該パネルの外周に位置するガラスブロックの押込み方向前側立上がり部の表面が枠に固定されている板バネ製フックに基部側から接し該フックを低く押さえながら前進する。そして、上記パネルの押込み方向前面外周が枠の備えるストッパに達すると、パネルの前進が止められ、同時に枠の備える板バネ製フックの先端が上記押込み方向前側立上がり部の表面から外れ、この立上がり部の後側段部に引っ掛かってフックに上記パネルが係止され、その後退が制止される。
【００１０】
すなわち、ガラスブロックパネルを枠に押し込むことにより、パネルがワンタッチで固定される。したがって、従来のボルト締めおよびパネルフレームが不要となり、そのため枠とパネルの間の目地幅を狭くすることができる。また、枠の内法、パネルの外形寸法および枠に対する板バネ製フックの配置によって上下左右の目地幅を自動的に均一化させることができ、施工時の工数が大幅に減少し施工性が向上する。なお、上記の枠、ガラスブロックおよびガラスブロックパネルにおいて、前面および後面の形状は、方形に限るものではなく、円形、三角形、多角形等の任意形状とすることができ、またガラスブロックは中空に限るものではなく、中実のものであってもよい。
【００１１】
上記の枠に板バネ製フックを取付けるに際し、その配置は、上記のガラスブロックパネルを固定できるものであれば任意であり、上記パネルの形状および大きさに応じて適宜に設定することができる。例えば、枠の上下左右の各部に配置してもよく、また下部を除く他の３部分に配置してもよく、また左右の側部のみに配置してもよいが、少なくとも左右側部に配置した場合は、左右側部に固定するフックの形状、大きさおよび個数を揃えることより、前記の嵌め込みで左右の目地間隙を等しくすることができるので、枠の下辺に上記の板バネ製フックに代えて適当な高さの支持台をあらかじめ固定することにより、四方の目地間隙を揃えることができる。
【００１２】
この発明では、前記のとおり、枠にガラスブロックパネルの押込み位置を規制するストッパが設けられるが、このストッパは、上記パネルの押込み方向前面外周と全域でシール材を介して接するものであることが好ましく、この場合は、上記パネルの押込みによる固定後、上記パネルの反対側、すなわちパネルの押込み方向後端部と枠との間の間隙を任意のシール材で埋めるだけで、パネルと枠間の目地間隙を断熱空間に形成することができ、かつ断熱空間への水の侵入を防ぐことができる。特に、上記ストッパ側のシール材に弾力性のものを用いた場合は、このシール材と前記の板バネ製フックとでガラスブロックの前側立上がり部を弾力的に挟んでガラスブロックのガタを止めることができ、またガラスブロックの表面凹凸やうねりを吸収し、気密性や水密性を高めることができる。
【００１３】
この発明で用いる板バネ製フックは、バネ鋼やりん青銅、ベリリウム銅等のバネ用金属からなるバネ板から作ることができ、またナイロン等の弾力性を有する合成樹脂から成型して作ることもできる。そして、前記枠の内面に板バネ製フックと並んで、好ましくは両側に板バネ製プレッサを並設し、このプレッサが枠の内面から上記フックの先端よりも前方へ前上がりに延びてパネル外周の押込み方向前側立上がり部の表面を押圧するように形成することができる。この場合は、ガラスブロックパネルを支持する力が、増大する。そして、板バネ製フックと両側の板バネ製プレッサとを、１枚のバネ板の加工により、または合成樹脂から成型して作ることにより、取付けも容易となる。
【００１４】
【発明の実施の形態】
図３において、１０はガラスブロックの外周に配置されたガラスブロックであり、前記同様に、正方形のガラス製箱体１１を２個、その開口端１１ｃで接合して作られており、図３の上に位置する底板１１ａがブロック１０の前板を構成し、下に位置する底板１１ａがブロック１０の後板を構成し、紙面手前側、紙背側および左右両側の側板１１ｂがそれぞれ周囲に額縁状の立上がり部１１ｄを備え、その内側に段部１１ｅを介して凹部１１ｆが形成されている。
【００１５】
２０はアルミニウムサッシその他からなる方形の枠で、建物の外壁の開口部に設けられており、その内面２０ａの室内側（図３の上方側）に周方向の突条２０ｂが突設され、該突条２０ｂの内面および前面（室内側表面）が結露防止カバー２５で被覆される。なお、上記の突条２０ｂは後記のストッパを構成し、その戸外側背面（図３の下側）に弾力性のシール材２６が取付けられる。そして、上記枠２０の突条２０ｂ寄り内面２０ａに板バネ製フック３０が固定される。
【００１６】
この板バネ製フック３０は、図４に示すように、１枚のバネ板を加工して作られたものであって、板バネ製プレッサ３１と、頭部３２ａおよび脚部３２ｂからなるＴ字形ベース３２とを一体に備えたものである。すなわち、上記のフック３０は、Ｔ字形ベース３２の頭部３２ａの中央から脚部３２ｂに対して反対向きに突設され、その基部で曲げられて先端が脚部３２ｂの上方へ斜めに延びるように作られる。一方、プレッサ３１は、上記頭部３２ａの左右両側から脚部３２ｂと同じ向きに突設され、その基部と中間部の２箇所で曲げられて先端部分がほぼ水平ないしは若干前上がりに傾斜して延びるように作られる。なお、ベース３２の脚部３２ｂには、ネジ孔３２ｃが開けられる。
【００１７】
図５において、２１は外壁開口部の室内側に設けた額縁、２２は室内側アルミ枠、２３は戸外側アルミ枠であり、室内側アルミ枠２２と戸外側アルミ枠２３とは合成樹脂製の断熱材２４を介して接続され、これらの額縁２１、室内側アルミ枠２２、戸外側アルミ枠２３および断熱材２４等が前記図３の枠２０を構成している。そして、室内側アルミ枠２２の室内側端部２２ａには結露防止カバー２５が被着され、縦横の結露防止カバー２５の交差部にはコーナーピース２５ａが取付けられる。
【００１８】
上記の室内側アルミ枠２２は、額縁２１の内面と接する室内側端部２２ａ、この室内側端部２２ａと直角に交差して室内側額縁２１の背面側に延びる中間部２２ｂおよびこの中間部２２ｂと直角に交差してガラスブロックパネルの外周に位置するガラスブロック１０の側面と対向する本体部２２ｃを有しており、上記の室内側端部２２ａと中間部２２ｂとの交差部に上記パネルの外周に位置するガラスブロック１０の押込み方向前面外周と対向するストッパ２２ｄが形成され、このストッパ２２ｄの背面、すなわち上記ガラスブロック１０との対向面に弾力性のシール材２６が取付けられる。
【００１９】
他方、上記室内側アルミ枠２２の本体部２２ｃの中間部２２ｂ寄り部分には、その外面側にネジ孔用突条２２ｅが突設され、この突条２２ｅの適所にネジ孔が開けられている。そして、上記本体部２２ｃの内面に前記板バネ製フック３０および板バネ製プレッサ３１のＴ字形ベース３２を、そのネジ孔３２ｃ（図４参照）が上記ネジ孔用突条２２ｅのネジ孔と一致するように重ねてビス２７を挿入し締結することにより、上記の板バネ製フック３０および板バネ製プレッサ３１が上記室内側アルミ枠２２すなわち外壁開口部の枠２０に固定される。
【００２０】
このように外壁開口部の上下左右に固定された室内側アルミ枠２２にそれぞれ上記の板バネ製フック３０を板バネ製プレッサ３１と共に任意個数ずつ固定し、しかるのち上記のアルミ枠２２、２３を含む枠２０に戸外側（図３の下方）からガラスブロック１０からなるガラスブロックパネルを押込むと、該パネルの外周に位置するガラスブロック１０の押込み方向前側立上がり部１１ｄの表面が上記の板バネ製フック３０（図５参照）に基部側から接し、該フック３０を低く押さえながら前進し、続いて板バネ製プレッサ３１に基部側から接し、該プレッサ３１を押さえながら前進する。
【００２１】
そして、上記ガラスブロック１０の押込み方向前側立上がり部１１ｄの表面に上記プレッサ３１の先端が接すると、その弾力でパネルの位置がコントロールされ、続いて上記パネルの押込み方向前面外周がストッパ２２ｄ上の弾力性を備えたシール材２６に達すると、上記パネルの前進が制止され、同時に立上がり部１１ｄの後側段部１１ｅに板バネ製フック３０の先端が引っ掛かって上記パネルが係止される。しかるのち、図３に示すように、ガラスブロックパネルの外周と枠２０（図５の戸外側アルミ枠２３）との間にスポンジのバックアップ材２８およびコーキング材２９が順に充填され、ガラスブロックパネルと枠２０との間に断熱空間が形成される。
【００２２】
【発明の効果】
上記のとおり、この発明によれば、建物の壁の開口部に取付けた枠に片側からガラスブロックパネルを押し込むと、該パネルがワンタッチで固定され、従来必要としたボルト締めやパネルフレームが不要になり、枠とパネル間の目地幅を狭くすることが可能になり、かつ枠やパネルの寸法に応じて板バネ製フックを配置することによって上下左右の目地幅を自動的に均一化させることができ、施工性が大幅に向上する。特に請求項２に係る発明は、左右の目地幅を揃えることができる。また、請求項３に係る発明は、ガラスブロックパネルと枠の間を断熱空間に形成することが容易である。また、請求項４に係る発明は、ガラスブロックパネルの固定位置を一層容易にコントロールすることができる。
【図面の簡単な説明】
【図１】従来のガラスブロックパネルの取付け構造を示す断面図である。
【図２】ガラスブロックパネルの正面図である。
【図３】実施形態の断面図である。
【図４】板バネ製フックの斜視図である。
【図５】図３の要部の拡大断面図である。
【符号の説明】
１０：ガラスブロック
１１：ガラス製箱体
１１ａ：底板、１１ｂ：側板、１１ｃ：開口端（接合線）
１１ｄ：立上がり部、１１ｅ：段部、１１ｆ：凹部
２０：枠、２０ａ：内面、２０ｂ：突条（ストッパ）
２１：額縁（枠）
２２：室内側アルミ枠（枠）
２２ａ：室内側端部、２２ｂ：中間部、２２ｃ：本体部、２２ｄ：ストッパ
２２ｅ：ネジ孔用突条
２３：戸外側アルミ枠（枠）
２４：断熱材（枠）
２５：結露防止カバー、２５ａ：コーナーピース
２６：シール材
２７：ビス
２８：バックアップ材
２９：コーキング材
３０：板バネ製フック
３１：板バネ製プレッサ
３２：Ｔ字形ベース、３２ａ：頭部、３２ｂ：脚部、３２ｃ：ネジ孔
【図１】
2004278121.tif 000003
【図２】
2004278121.tif 000004
【図３】
2004278121.tif 000005
【図４】
2004278121.tif 000006
【図５】
2004278121.tif 000007